(57)【要約】      （修正有）【課題】エネルギー管理システムの利用価値を高めることが可能な情報処理システムを提供する。【解決手段】情報処理システムは、ホームゲートウェイ装置７において通信部２１と、記憶部２２と、情報処理部とを備える。通信部は、分電盤の分岐回路に接続された電気機器の機器情報及び分岐回路の計測電流情報を受信する。記憶部は、機器情報と、登録電流情報とを対応づけて格納する。情報処理部は、計測電流情報に基づき、データベースに登録された機器情報の登録電流情報を更新する。【選択図】図３
2017011963.tif 000002
【特許請求の範囲】
【請求項１】
分電盤の分岐回路に接続された電気機器の機器情報、及び前記分岐回路の計測電流情報を受信する通信部と、
前記機器情報と、登録電流情報とを対応づけて格納するデータベースと、
前記計測電流情報に基づき、データベースに登録された前記機器情報の登録電流情報を更新する情報処理部と、
を備える情報処理システム。
【請求項２】
前記通信部は、異なるタイミングで取得された複数回計測分の計測電流情報を受信し、
前記情報処理部は、前記複数回計測分の計測電流情報を統計的に分析し、分析結果に基づき前記登録電流情報を更新する請求項１の情報処理システム。
【請求項３】
前記機器情報は、前記電気機器の動作状態を含み、
前記通信部は、前記電気機器の動作状態を受信し、
前記情報処理部は、前記動作状態と前記計測電流情報に基づき、前記動作状態に対応する前記登録電流情報を更新する請求項１又は２の情報処理システム。
【請求項４】
前記機器情報は、前記電気機器の累積稼働時間帯を含み、
前記通信部は、前記電気機器の累積稼働時間を受信し、
前記情報処理部は、前記累積稼働時間と前記計測電流情報に基づき、前記累積稼働時間帯の前記登録電流情報を更新する請求項１乃至３の何れか一つの情報処理システム。
【請求項５】
前記情報処理部は、前記計測電流情報と前記登録電流情報の比較結果に基づき異常を検出する請求項１乃至４の何れか一つの情報処理システム。
【請求項６】
前記分岐回路の電流値を計測し、前記計測電流情報を送信する電力計測装置と、
前記電気機器から送信される前記機器情報を受信し、前記電力計測装置から送信される前記計測電流情報を受信するとともに、前記機器情報及び前記計測電流情報を対応づけて送信する第１の情報処理装置と、
前記第１の情報処理装置から送信される前記機器情報及び前記計測電流情報を受信する前記通信部と、前記情報処理部とを有する第２の情報処理装置と、
を備える請求項１乃至５の何れか一つの情報処理システム。
【請求項７】
前記第２の情報処理装置は、各施設に設けられた複数の前記第１の情報処理装置から送信される前記機器情報及び前記計測電流情報を受信し、複数の前記第１の情報処理装置から送信される前記計測電流情報に基づき、データベースに登録された前記機器情報の登録電流情報を更新する請求項６の情報処理システム。
【請求項８】
分電盤の分岐回路に接続された電気機器の機器情報、及び前記分岐回路の計測電流情報を受信し、
前記計測電流情報に基づき、データベースに登録された前記機器情報の登録電流情報を更新する情報処理方法。
【請求項９】
コンピュータに、
分電盤の分岐回路に接続された電気機器の機器情報、及び前記分岐回路の計測電流情報を受信する手順と、
前記計測電流情報に基づき、データベースに登録された前記機器情報の登録電流情報を更新する手順と、
を実行させるプログラム。
【発明の詳細な説明】
【技術分野】
【０００１】
本発明の実施形態は、情報処理システム、情報処理方法、及びプログラムに関する。
【背景技術】
【０００２】
施設内の電気機器による消費電力量を計算し可視化するＨＥＭＳ（Home Energy Management System）などのエネルギー管理システムが実用化されている。エネルギー管理システムでは、例えば施設内の分電盤に設置された電力計測装置により、計測対象となる対象回路を流れる電流を計測し、対象回路により消費される消費電力を計算する。さらに、サーバが、各施設内の電力計測装置からの消費電力情報をホームゲートウェイ装置等を介して受信し、各施設内の消費電力情報を管理する。
【０００３】
近年、エネルギー管理システムの利用価値を高めるための各種提案がなされている。
【先行技術文献】
【特許文献】
【０００４】
【特許文献１】特開２０１２−１７０２８５号公報
【発明の概要】
【発明が解決しようとする課題】
【０００５】
本発明が解決しようとする課題は、エネルギー管理システムの利用価値を高めることが可能な情報処理システム、情報処理方法、及びプログラムを提供することにある。
【課題を解決するための手段】
【０００６】
実施形態の情報処理システムは、通信部と、データベースと、情報処理部とを備える。前記通信部は、分電盤の分岐回路に接続された電気機器の機器情報、及び前記分岐回路の計測電流情報を受信する。前記データベースは、前記機器情報と、登録電流情報とを対応づけて格納する。前記情報処理部は、前記計測電流情報に基づき、データベースに登録された前記機器情報の登録電流情報を更新する。
【発明の効果】
【０００７】
この発明によれば、エネルギー管理システムの利用価値を高めることが可能な情報処理システム、情報処理方法、及びプログラムを提供できる。
【図面の簡単な説明】
【０００８】
【図１】図１は、各実施形態に共通の電力管理システムの構成例について説明するための図である。
【図２】図２は、各実施形態に共通の分電盤の構成例について説明するための図である。
【図３】図３は、各実施形態に共通のホームゲートウェイ装置の構成例について説明するための図である。
【図４】図４は、各実施形態に共通のサーバの構成例について説明するための図である。
【図５】図５は、各実施形態に共通のサーバに記憶されている登録情報の例について説明するための図である。
【図６】図６は、各実施形態に共通の電力計測装置による計測電流情報の取得から送信までの一例を示すフローチャートである。
【図７】図７は、各実施形態に共通のホームゲートウェイ装置７による各種情報の受信と送信の一例を説明するためのフローチャートである。
【図８】図８は、第１の実施形態に係るサーバ３による情報更新処理の一例を説明するための図である。
【図９】図９は、第２の実施形態に係るサーバ３による情報更新処理の一例を説明するための図である。
【図１０】図１０は、第３の実施形態に係るサーバ３による異常判定処理の一例を説明するための図である。
【図１１】図１１は、第４の実施形態に係るサーバ３によるインセンティブ処理の一例を説明するための図である。
【発明を実施するための形態】
【０００９】
以下で説明する第１の実施形態に係る情報処理システム（１）のサーバ（３）は、通信部（３１）と、データベース（３２）と、情報処理部とする制御部（３３）とを備える。通信部（３１）は、分電盤（６）の分岐回路に接続された電気機器（９Ａ）の機器情報、及び分岐回路の計測電流情報を受信する。データベース（３２）は、前記機器情報と、登録電流情報とを対応づけて格納する。情報処理部は、計測電流情報に基づき、データベースに登録された機器情報の登録電流情報を更新する。なお、第１の実施形態において、ホームゲートウェイ装置７が通信部（２１）、データベースとする記憶部（２２）、情報処理部とする制御部（２３）を有してもよい。
【００１０】
さらに、情報処理システムのサーバ（３）において、通信部（３１）は、異なるタイミングで取得された複数回計測分の計測電流情報を受信する。情報処理部とする制御部（３３）は、複数回計測分の計測電流情報を統計的に分析し、分析結果に基づき登録電流情報を更新する。なお、第１の実施形態において、ホームゲートウェイ装置７の通信部（２１）および情報処理部とする制御部（２３）が前述の機能を有してもよい。
【００１１】
さらに、情報処理システムのサーバ（３）において、機器情報は、前記電気機器の動作状態を含む。通信部（３１）は、電気機器（９Ａ）の動作状態を受信する。情報処理部とする制御部（３３）は、動作状態と計測電流情報に基づき、動作状態に対応する登録電流情報を更新する。なお、第１の実施形態において、ホームゲートウェイ装置７の通信部（２１）および情報処理部とする制御部（２３）が前述の機能を有してもよい。
【００１２】
さらに、情報処理システムのサーバ（３）において、前記データベースは、機器情報と、電気機器の累積稼働時間帯とを対応づけて格納し、通信部（３１）は、電気機器（９Ａ）の累積稼働時間を受信する。情報処理部とする制御部（３３）は、累積稼働時間と計測電流情報に基づき、累積稼働時間帯の登録電流情報を更新する。なお、第１の実施形態において、ホームゲートウェイ装置７の通信部（２１）、データベースとする記憶部（２２）および情報処理部とする制御部（２３）が前述の機能を有してもよい。
【００１３】
さらに、以下で説明する第３の実施形態に係る情報処理システムのサーバ（３）において、情報処理部とする制御部（３３）は、計測電流情報と登録電流情報の比較結果に基づき異常を検出する。なお、第１の実施形態において、ホームゲートウェイ装置７の通信部（２１）、データベースとする記憶部（２２）および情報処理部とする制御部（２３）が前述の機能を有してもよい。
【００１４】
さらに、以下で説明する第１の実施形態に係る情報処理システム（１）は、電力計測装置（１３）と、第１の情報処理装置（７）と、第２の情報処理装置（３）とを備える。電力計測装置（１３）は、分岐回路の電流値を計測し、計測電流情報を送信する。第１の情報処理装置（７）は、電気機器（９Ａ）から送信される機器情報を受信し、電力計測装置から送信される計測電流情報を受信するとともに、機器情報及び計測電流情報を対応づけて送信する。第２の情報処理装置（３）は、第１の情報処理装置から送信される機器情報及び計測電流情報を受信する通信部（３１）と、情報処理部（３３）とを有する。第２の情報処理装置（３）は、各施設に設けられた複数の第１の情報処理装置から送信される機器情報及び計測電流情報を受信し、複数の第１の情報処理装置から送信される計測電流情報に基づき、データベースに登録された機器情報の登録電流情報を更新する。
【００１５】
以下で説明する第１の実施形態に係る情報処理システム（１）のサーバ（３）により実行される動作制御方法は、分電盤（６）の分岐回路に接続された電気機器（９Ａ）の機器情報、及び分岐回路の計測電流情報を受信し（ステップＳ８０１）、計測電流情報に基づき、データベースに登録された機器情報の登録電流情報を更新する（ステップＳ８０４）。または、サーバ（３）の代わりにホームゲートウェイ装置（７）によって前述の動作制御方法を実現してもよい。
【００１６】
以下で説明する第１の実施形態に係る情報処理システム（１）のサーバ（３）にインストールされるプログラムは、コンピュータ（３）に、分電盤（６）の分岐回路に接続された電気機器（９Ａ）の機器情報、及び分岐回路の計測電流情報を受信する手順と（ステップＳ８０１）、計測電流情報に基づき、データベースに登録された機器情報の登録電流情報を更新する手順と（ステップＳ８０４）、を実行させる。または、サーバ（３）の代わりにホームゲートウェイ装置（７）において前述の動作制御プログラムがインストールされてもよい。
【００１７】
以下、図面を参照しながら、各実施形態に係る電力管理装置、電力管理システム、及び電力管理方法について詳細に説明する。
【００１８】
図１は、各実施形態に共通の電力管理システム１の構成例を示す。電力管理システム１は、施設内に設置されている電気機器９Ａの消費電力の可視化及び制御を行う為のシステムである。電力管理システム１は、例えば、ＨＥＭＳ（Home  Energy  Management  System）などであり、例えばＨＥＭＳの標準プロトコルである「ＥＣＨＯＮＥＴ  Ｌｉｔｅ」を準拠して種々の処理を行う。
【００１９】
電力管理システム１は、ホームネットワークシステム２、サーバ３、及びユーザ端末４などを備える。ホームネットワークシステム２とサーバ３、及びユーザ端末４とサーバ３は、それぞれネットワーク５を介して互いに通信可能に構成されている。ネットワーク５は、例えばインターネットまたはイントラネットなどのネットワークである。
【００２０】
ホームネットワークシステム２は、施設内に構築され、ユーザ端末４、分電盤６、電気機器９Ａ及びホームゲートウェイ（ＨＧＷ）装置７を備える。
【００２１】
ユーザ端末４は、種々の画面表示と、ユーザによる操作の受け付けを行う。ユーザ端末４は、例えば、リモートコントローラ、タブレット端末、ＰＣ（Personal  Computer）、携帯電話機、ＰＤＡ（Personal  Data  Assistance）などである。ユーザ端末４は、無線通信または有線通信によりネットワーク５を介してサーバ３と、またはホームネットワークシステム２を介してホームゲートウェイ装置７と通信を行うことができる。
【００２２】
ユーザ端末４は、例えば、ホームネットワークシステム２内の電気機器９Ａの消費電力のモニタリング、及びホームネットワークシステム２内の電気機器９Ａの制御を行う為のアプリケーションを有する。ユーザ端末４は、ホームゲートウェイ装置７またはサーバ３から消費電力を示すデータを受けとり、アプリケーションを用いてホームネットワークシステム２内の電気機器９Ａの消費電力を可視化する為の消費電力確認画面を表示する。また、ユーザ端末４は、アプリケーションを用いてホームネットワークシステム２内の電気機器９Ａの制御を行う為の制御画面を表示する。ユーザ端末４は、制御画面でのユーザによる操作に応じて、ホームネットワークシステム２内の電気機器９Ａを制御する為の制御信号を生成し、ホームゲートウェイ装置７に送信する。あるいは、ユーザ端末４は、既存のブラウザ機能を用いて前述のサービスを実現してもよい。たとえば、ホームゲートウェイ装置７から生成された消費電力確認画面または電気機器９Ａの制御画面を受信し、ユーザに表示してもよい。また、ユーザの操作にもとづいて対応する制御命令をホームゲートウェイ装置７に送信し、ホームゲートウェイ装置７によって生成された電気機器９Ａを制御するための制御信号を電気機器９Ａ宛てに送信してもよい。
【００２３】
図２は、各実施形態に共通の分電盤６の構成例について説明する為の図である。分電盤６は、商用電源８に接続された主幹回路を複数の分岐回路に分岐させる。分電盤６は、主幹回路に設けられた主幹ブレーカ１１、各分岐回路に設けられた分岐ブレーカ１２、電力計測装置１３を有する。
【００２４】
主幹ブレーカ１１及び分岐ブレーカ１２は、例えば二次側（下流側）の回路に過負荷または短絡などにより異常な電流が流れた場合に一次側（上流側）からの電源供給を遮断する。主幹ブレーカ１１は、主幹回路と分岐回路との分岐点と、商用電源８との間に設けられる。分岐ブレーカ１２は、主幹回路と分岐回路との分岐点と、電気機器９Ａが接続されるコンセントなどとの間に設けられる。
【００２５】
分電盤６において分岐された複数の分岐回路には、それぞれ種々の電気機器９Ａが接続されている。電気機器９Ａは、例えばエアコン、冷蔵庫、洗濯機、ＴＶ、掃除機、照明、給湯器、スピーカ、電子レンジ、電磁調理器、及び電気自動車への充電器などの種々の電気的負荷である。
【００２６】
電力計測装置１３は、所定期間、たとえば電流波形の所定のサイクル数における計測対象の回路（対象回路）を流れる電流値を計測し、計測電流情報（時間経過に応じて変換する電流値の情報）を取得する。以下、計測電流波形を計測電流情報と読み替えてもよい。電力計測装置１３は、図示しない通信部を介して、外部と通信する機能を有する。たとえば、取得した計測電流波形をホームゲートウェイ装置７に供給する。電力計測装置１３は、電流計測の対象となる配線に設けられた計器用変流器（ＣＴ：Ｃｕｒｅｅｎｔ  Ｔｒａｎｓｆｏｒｍｅｒ）１４により対象回路を流れる電流を計測する。電流計測の対象となる対象回路は、主幹回路、または各分岐回路などである。対象回路に１つの電気機器９Ａが接続されている場合、電力計測装置１３は、当該対象回路に設けたＣＴ１４による電流の計測値に基づく計測電流波形を１つの電気機器９Ａを流れる電流の電流波形として取得する。
【００２７】
分電盤６の分岐回路に接続されている電気機器９Ａは、ＨＥＭＳに対応した電気機器である。電気機器９Ａは、ホームゲートウェイ装置７と互いに通信することができる。例えば、電気機器９Ａは、自身の機器識別子と、自身の動作の状態を示す動作状態と、累積稼働時間等を含む機器情報をホームゲートウェイ装置７に送信することができる。
【００２８】
機器識別子は、電気機器９Ａの機種（型）を特定することができる情報である。機器識別子は、例えば、製品の種類毎に割り振られる型番、型番とＭＡＣアドレスとの組合せ、または型番と任意の文字列との組合せなどである。
【００２９】
動作状態は、例えばＥＣＨＯＮＥＴ  Ｌｉｔｅに規定されている電文方式で表現される、電気機器９Ａの動作状態を示す情報である。例えば、動作状態は、電気機器９Ａの電源がＯＮであるかＯＦＦであるかを示す電源状態や、電気機器９Ａが節電運転状態、または待機状態などの種々の運転状態を示すものであってもよい。より具体的には、動作状態は、電気機器９Ａがエアコンである場合、冷房、暖房、送風、除湿、設定温度、及び風量などのように、種々の状態を示すものであってもよい。
【００３０】
累積稼働時間は、電気機器９Ａを使い始めてからの累積稼働時間であり、サーバで収集される機器情報が累積稼働時間を含むことにより、累積稼働時間帯別に情報を分析することが可能となる。例えば、０〜１０００時間の時間帯、１００１〜２０００時間の時間帯、２００１〜３０００時間の時間帯のように、累積稼働時間帯別に情報を分析することが可能となる。これについては後に詳しく説明する。
【００３１】
次に、ホームゲートウェイ装置７の構成について説明する。
【００３２】
図３は、各実施形態に共通のホームゲートウェイ装置７の構成例について説明する為のブロック図である。  
ホームゲートウェイ装置７は、ホームネットワークシステム２内の各電気機器９Ａの消費電力のモニタリングと各電気機器９Ａの制御とを行う。図３において、ホームゲートウェイ装置７は、通信部２１、記憶部２２、及び制御部２３を備える。
【００３３】
通信部２１は、宅外のネットワーク５を介してサーバ３と通信を行う。また、通信部２１は、ホームネットワークシステム２内の分電盤６、ユーザ端末４、及び各電気機器９Ａなどと通信を行う。通信部２１は、無線通信部２４、及び有線通信部２５を有する。
【００３４】
無線通信部２４は、ホームゲートウェイ装置７と無線通信を行う各電気機器９Ａに接続されている。例えば、無線通信部２４は、分電盤６、ユーザ端末４、及び各電気機器９Ａなどと無線通信を行う。無線通信部２４は、電波または赤外線などを送受信する送受信機などにより構成される。
【００３５】
有線通信部２５は、ホームゲートウェイ装置７と有線通信を行う各電気機器９Ａに接続されている。例えば、有線通信部２５は、ホームゲートウェイ装置７を図示しないルータなど中継装置を介して外部のネットワーク５と通信可能に接続する。また、有線通信部２５は、ＬＡＮケーブルが挿入される接続ポート、および通信回路等により構成される。
【００３６】
記憶部２２は、種々の情報を記憶する。記憶部２２は、例えば、半導体メモリ、ハードディスクドライブなどの記憶装置によって構成される。
【００３７】
制御部２３は、ＣＰＵ等のプロセッサ、プログラムメモリ、ワーキングメモリ及び各種インターフェースなどに構成される。制御部２３は、プロセッサがプログラムメモリに記憶したプログラムを実行することにより、各種の処理機能を実現する。  
例えば、制御部２３は、分電盤６内の電力計測装置１３、ユーザ端末４、及び各電気機器９Ａと送受信する情報の処理を行う。また、制御部２３は、サーバ３と送受信する情報の処理を行う。
【００３８】
制御部２３は、電気機器９Ａから送信された機器情報から電気機器９Ａの機器識別子、動作状態、及び累積稼働時間を認識する。また、制御部２３は、分電盤６の電力計測装置１３から送信された計測電流波形に基づいて、ホームネットワークシステム２内の各電気機器９Ａの消費電力を算出する。制御部２３は、機器識別子に動作状態、設置場所、及び消費電力等を対応付けて機器リストを生成し、記憶部２２に記憶する。また、制御部２３は、機器情報、及び算出された消費電力に基づいて、機器リストを更新する。
【００３９】
機器リストは、機器識別子、動作状態、設置場所、消費電力を有する。設置場所は、たとえば分電盤６により分岐された複数の分岐回路のうちの電気機器９Ａが接続されている分岐回路を特定することができる情報である。また例えば、設置場所は、リビング、玄関などの電気機器９Ａが設置されている場所を示す情報である。制御部２３は、ユーザ端末４によりユーザが入力した情報をユーザ端末から取得し、取得した情報に基づいて設置場所を設定する。消費電力は、上記のように制御部２３により算出された電気機器９Ａの消費電力である。
【００４０】
制御部２３は、機器リストをユーザ端末４に送信することにより、消費電力確認画面及び制御画面をユーザ端末４に生成させることができる。また、制御部２３は、消費電力確認画面及び制御画面を生成し、ユーザ端末に送信する構成であってもよい。またさらに、制御部２３は、機器リストをサーバ３に所定のタイミング（例えば周期的タイミング、または任意のタイミング）で送信する構成であってもよい。
【００４１】
次に、サーバの構成について説明する。  
サーバ３は、ＨＥＭＳに対応した電気機器９Ａに関する各種情報を管理する。例えば、サーバ３は、ネットワーク５を介してユーザ端末４から制御信号を受信した場合に、受信した制御信号をネットワーク５を介してホームゲートウェイ装置７に送信する。これにより、ホームネットワークシステム２内の電気機器９Ａを制御することができる。また、サーバ３は、ネットワーク５を介してホームゲートウェイ装置７から機器リストを取得し、ユーザ端末４に送信することができる。これにより、サーバ３は、消費電力確認画面及び制御画面をユーザ端末４に生成させることができる。サーバ３は、ホームゲートウェイ装置７から取得した機器リストを用いて消費電力確認画面及び制御画面を生成し、ユーザ端末に送信する構成であってもよい。
【００４２】
図４は、各実施形態に共通のサーバ３の構成例について説明する為のブロック図である。図４に示す構成例において、サーバ３は、通信部３１、記憶部３２、及び制御部３３を備える。  
通信部３１は、ネットワーク５を介してホームゲートウェイ装置７及びユーザ端末４と通信を行う。
【００４３】
記憶部３２は、種々の情報を記憶する。記憶部３２は、例えば、半導体メモリ、ハードディスクドライブなどの記憶装置によって構成される。記憶部３２は、電気機器９Ａ毎の登録情報を記憶する。
【００４４】
図５は、各実施形態に共通の登録情報の例を示す説明図である。登録情報は、機器識別子と、電気機器９Ａの動作状態と、累積稼働時間帯と、登録電流情報（登録電流波形）とが対応付けられた情報である。登録電流情報は、機器識別子により特定される電気機器９Ａの動作状態毎及び累積稼働時間帯毎の電流値の計測情報であり、動作状態毎及び累積稼働時間帯毎の計測電流値と計測時間との関係を示す。即ち、登録電流情報は、電気機器９Ａの機器識別子と動作状態と累積稼働時間帯の組合せ毎に分類されて記憶されている。また、登録電流情報は、稼働時間帯（朝、昼、夜、深夜）などに応じてさらに分類されて記憶されていてもよい。またさらに、電気機器９Ａの動作状態毎に消費電力を示す情報が対応付けられていてもよい。なお、登録電流情報に含まれる計測電流値と計測時間との関係から電流波形を生成することができ、この電流波形を登録電流波形と称する。以下、登録電流波形を登録電流情報と読み替えてもよい。
【００４５】
制御部３３は、ＣＰＵ等のプロセッサ、プログラムメモリ、ワーキングメモリ及び各種インターフェースなどに構成される。制御部は、プロセッサがプログラムメモリに記憶したプログラムを実行することにより、各種の処理機能を実現する。  
例えば、制御部３３は、ホームゲートウェイ装置７及びユーザ端末４と送受信する情報の処理を行う。制御部３３は、ホームゲートウェイ装置７から機器識別子、動作状態、及び累積稼働時間と、対象回路の計測電流波形を取得する。制御部３３は、記憶部３２に記憶されている登録情報を参照することにより、取得した機器識別子、動作状態、及び累積稼働時間等に対応した登録電流波形を取得する。
【００４６】
したがって、制御部３３は、ホームゲートウェイ装置７から取得した対象回路に接続され且つ少なくとも機器識別子を認識することができた電気機器９Ａの計測電流波形と、記憶部３２に記憶されている登録電流波形とを比較し、計測電流波形に基づき、登録電流波形を更新することができる。
【００４７】
図６は、各実施形態に共通の電力計測装置による計測電流情報の取得から送信までの一例を示すフローチャートである。図６に示すように、電力計測装置１３は、所定期間における計測対象の回路（分岐回路）を流れる電流値を計測し（ステップＳ６０１）、計測電流値と計測時間との関係を示す計測電流情報を取得する（時間経過に応じて変換する電流値の情報）（ステップＳ６０２）。換言すれば、電力計測装置１３は、対象回路の計測電流波形（計測電流情報から生成可能な計測電流波形）を取得する。例えば、分岐回路に電気機器９Ａが接続されていれば、電力計測装置１３が、この分岐回路を流れる電流値を計測することは、電気機器９Ａの電流値を計測することに相当する。このようにして、電力計測装置１３は、各分岐回路から計測電流情報、つまり、各電気機器９Ａの計測電流情報を取得する。
【００４８】
例えば、電力計測装置１３は、定期的に計測電流情報を取得する。或いは、電力計測装置１３は、ホームゲートウェイ装置７からの指示に基づき、計測電流情報を取得する。或いは、電力計測装置１３は、これら両方のタイミングで計測電流情報を取得する。例えば、ホームゲートウェイ装置７は、電気機器９Ａの動作状態（動作モード）に関する情報を取得できるので（例えば電気機器９Ａから送信される機器情報は動作状態に関する情報を含むので）、動作状態の変化のタイミングで、電力計測装置１３に対して計測電流情報の取得を指示することができる。
【００４９】
電力計測装置１３は、取得した計測電流情報を所定のタイミング或いは定期的にホームゲートウェイ装置７へ送信する（ステップＳ６０３）。また、電力計測装置１３は、分岐回路の識別情報とこの分岐回路の計測電流情報とをホームゲートウェイ装置７へ送信する。つまり、電力計測装置１３は、分岐回路別の計測電流情報をホームゲートウェイ装置７へ送信する。
【００５０】
図７は、各実施形態に共通のホームゲートウェイ装置７による各種情報の受信と送信の一例を説明するためのフローチャートである。ホームゲートウェイ装置７の無線通信部２４は、電気機器９Ａから送信される機器情報を受信（取得）する（ステップＳ７０１）。また、ホームゲートウェイ装置７は、電力計測装置１３から送信される計測電流情報を受信（取得）する（ステップＳ７０１）。上記説明したように、電力計測装置１３は、分岐回路別の計測電流情報をホームゲートウェイ装置７へ送信するので、ホームゲートウェイ装置７は、分岐回路別の計測電流情報を受信することができる。制御部２３は、取得した機器情報から機器情報を送信した電気機器９Ａの機器識別子を認識する（ステップＳ７０２）。制御部２３は、取得した機器情報から機器情報を送信した電気機器９Ａの動作状態及び累積稼働時間等を認識する（ステップＳ７０３）。
【００５１】
制御部２３は、認識した動作状態及び累積稼働時間等に基づいて、機器リスト内の機器情報を送信した電気機器９Ａの動作状態及び累積稼働時間等を更新する（ステップＳ７０４）。例えば、制御部２３は、機器リストのステップＳ７０２で認識した機器識別子に対応付けられている動作状態及び累積稼働時間等にステップＳ７０３で認識した動作状態及び累積稼働時間等を上書きする。これにより、制御部２３は、機器リストの情報を逐次更新することができる。
【００５２】
また、機器リストは、電気機器９Ａが接続されている分岐回路を特定することができる情報（分岐回路の識別情報等）を含むので、制御部２３は、機器リストに含まれる機器情報と、電力計測装置１３からの計測電流情報とを対応付けることができる。つまり、制御部２３は、各分岐回路の計測電流情報と各分岐回路に接続された電気機器９Ａからの機器情報を対応付けることができる。なお、ユーザ端末４を介して、ユーザが各分岐回路の計測電流情報と各分岐回路に接続された電気機器９Ａからの機器情報を対応付けるようにしてもよい。
【００５３】
ホームゲートウェイ装置７の有線通信部２５は、各電気機器９Ａの機器情報と、各電気機器９Ａの機器情報に対応付けられた計測電流情報をサーバ３へ送信する（ステップＳ７０５）。
【００５４】
（第１の実施形態）
図８は、第１の実施形態に係るサーバ３による情報更新処理の一例を説明するための図である。サーバ３の通信部３１は、ホームゲートウェイ装置７からの機器情報及びこの機器情報に対応付けられた計測電流情報を受信する（ステップＳ８０１）。
【００５５】
サーバ３の制御部３３は、機器情報に含まれる機器識別子（機種）、動作状態（動作モード）、及び累積稼働時間等の各条件に基づき、計測電流情報を分類し（ステップＳ８０２）、条件別に計測電流情報を統計分析し（ステップＳ８０３）、分析結果に基づき、条件別の登録情報を更新する（ステップＳ８０４）。或いは、制御部３３は、定期的に統計分析される条件別の計測電流情報を記憶部３２に順次蓄積するようにしてもよい。
【００５６】
例えば、サーバ３の記憶部３２は、予め条件別の登録情報を記憶している。登録情報は、機器識別子、動作状態、累積稼働時間帯、及び登録電流情報を含む。つまり、記憶部３２は、条件別の登録電流情報を記憶している。例えば、登録電流情報は、各電気機器の試験運転又は計算等から得られた情報である。
【００５７】
例えば、電力計測装置１３は、異なるタイミングで複数回にわたり計測電流情報を取得する。これにより、サーバ３の通信部３１は、ホームゲートウェイ装置７を介して、異なるタイミングで複数回にわたり取得された複数回計測分の計測電流情報を受信し、制御部３３は、複数回計測分の計測電流情報を統計的に分析し、現在の登録電流情報を統計的な分析結果から得られた計測電流情報へ更新する。例えば、制御部３３は、複数回計測分の計測電流情報から正規分布を求め、正規分布から外れている値を除外し、残された計測値の平均を演算した結果に基づき登録電流情報を更新する。
【００５８】
当初の登録電流情報は、たとえば各電気機器の試験運転等から得られた情報であり、実情にそぐわないこともあり得る。長期的、定期的な統計分析の結果を利用し、登録電流情報を更新することにより、実情に沿った登録電流情報を得ることができる。実情に沿った登録電流情報を得ることは正確な消費電力の算出に繋げることができる。つまり、電力計測の精度の向上に繋げることができる。また、定期的な統計分析の結果を蓄積することにより機器の変化（経年変化、不具合）等の分析が可能となる。これらにより、電力管理システムの利用価値を高めることができる。また、サーバ３に登録電流情報が用意されていない場合には、実際に稼働中の機器からの情報に基づき、登録電流情報を登録（生成）することも可能である。
【００５９】
また、制御部３３は、ホームゲートウェイ装置７からの動作状態とともに計測電流情報を受信することができるので、動作状態別に計測電流情報を統計的に分析し、動作状態別の登録電流情報を統計的な分析結果から得られた動作状態別の計測電流情報へ更新する。これにより、動作状態別の登録電流情報を更新することができ、詳細な情報管理及び機器管理が可能となる。また、動作状態別に登録電流情報が用意されていない場合には、サーバ３が受信する動作状態別の測定電流情報を登録することにより、動作状態別の詳細な電流情報を得ることができる。例えば、冷房（節電モード）、冷房（ノーマルモード）、暖房、除湿、送風等の動作モード別の詳細な情報管理及び機器管理が可能となる。
【００６０】
また、制御部３３は、ホームゲートウェイ装置７からの累積稼働時間とともに計測電流情報を受信することができるので、累積稼働時間別に計測電流情報を統計的に分析し、累積稼働時間帯別の登録電流情報を統計的な分析結果から得られた累積稼働時間帯別の計測電流情報へ更新する。これにより、累積稼働時間帯別の登録電流情報を更新することができ、詳細な情報管理及び機器管理が可能となる。また、累積稼働時間帯別に登録電流情報が用意されていない場合には、サーバ３が受信する累積稼働時間帯別の測定電流情報を登録することにより、累積稼働時間帯別の詳細な電流情報を得ることができる。例えば、累積稼働時間が１００時間の計測電流情報であれば、０以上１０００時間以下の累積稼働時間帯の登録電流情報の更新に利用することができる。一般的に、累積稼働時間に応じて電気機器の状態が変化することが知られている。よって、累積稼働時間帯別に登録電流情報を管理、更新することにより、詳細な機器管理が可能となる。
【００６１】
なお、累積稼働時間に加えて、電気機器の通電開始からの経過時間を情報に加えるようにしてもよい。つまり、機器情報が経過時間を含み、サーバ３は、経過時間別に計測電流情報を統計分析し、経過時間別に登録電流情報を更新するようにしてもよい。電気機器は、累積稼働時間だけでなく、経過時間に応じても状態が変化することが知られており、経過時間を考慮することにより、より詳細な情報管理及び機器管理が可能となる。
【００６２】
（第２の実施形態）
図９は、第２の実施形態に係るサーバ３による情報更新処理の一例を説明するための図である。例えば、サーバ３は、ネットワーク５を介して複数のホームネットワークシステム２と接続される。各ホームネットワークシステム２は、各施設（各家庭）に設けられる。サーバ３の通信部３１は、各施設のホームゲートウェイ装置７からの機器情報及びこの機器情報に対応付けられた計測電流情報を受信する（ステップＳ９０１）。
【００６３】
サーバ３の制御部３３は、各施設のホームゲートウェイ装置７からの機器情報に含まれる機器識別子、動作状態、及び累積稼働時間等の各条件（機種、各種動作モード、及び累積稼働時間別）に基づき、計測電流情報を分類し（ステップＳ９０２）、条件別に計測電流情報を統計分析し（ステップＳ９０３）、分析結果に基づき、条件別の登録情報を更新する（ステップＳ９０４）。或いは、制御部３３は、定期的に統計分析される条件別の計測電流情報を記憶部３２に蓄積するようにしてもよい。
【００６４】
これにより、様々な施設（広範囲の施設）からの計測電流情報に基づき登録電流情報を更新することができ、より平均的な登録電流情報を得ることができる。なお、単一の施設からの計測電流情報に基づき登録電流情報を更新するようにしてもよく、この場合、施設別に電流情報を管理することが可能となり、施設別の特徴を分析することができる。例えば、寒冷地の施設のエアコンの電流消費に関する情報を分析するための情報として、更新される登録電流情報又は蓄積される登録電流情報を利用することができる。
【００６５】
（第３の実施形態）
第３の実施形態は、他の１以上の実施形態と組み合わせることも可能である。  
図１０は、第３の実施形態に係るサーバ３による異常判定処理の一例を説明するための図である。サーバ３の通信部３１は、ホームゲートウェイ装置７からの機器情報及びこの機器情報に対応付けられた計測電流情報を受信する（ステップＳ１００１）。サーバ３の制御部３３は、機器情報に含まれる機器識別子、動作状態、及び累積稼働時間等の各条件（機種、各種動作モード、及び累積稼働時間別）に基づき、計測電流情報を分類し、同一条件の計測電流情報と登録電流情報とを比較し（ステップＳ１００２）、差分が基準値を超える場合（ステップＳ１００３、ＹＥＳ）、異常を判定する（ステップＳ１００４）。例えば、制御部３３は、差分に基づき、故障診断、フィルタ清掃などのメンテナンスの要否判定を行うようにしてもよい。事前に、ユーザ端末４とホームゲートウェイ装置７（又は電気機器９Ａ）との対応付け情報をサーバ３へ登録しておくことにより、サーバ３はホームゲートウェイ装置７から送信される情報（又は電気機器９Ａの情報）とユーザ端末４の紐付けが可能となる。これにより、サーバ３が、故障診断情報又はメンテナンス情報等をユーザ端末４へ通知するようにしてもよい。
【００６６】
（第４の実施形態）
第４の実施形態は、他の１以上の実施形態と組み合わせることも可能である。  
図１１は、第４の実施形態に係るサーバ３によるインセンティブ処理の一例を説明するための図である。サーバ３の通信部３１は、ホームゲートウェイ装置７からのユーザ登録情報を受信し（ステップＳ１１０１）、記憶部３２はユーザ登録情報を記憶する。例えば、ユーザ登録情報は、ユーザ情報及び機器情報を含み、ユーザ情報はユーザＩＤ、パスワード、ポイント等の情報を含み、機器情報は機器識別子等の情報を含む。
【００６７】
サーバの通信部３１が、ホームゲートウェイ装置７からの機器情報及びこの機器情報に対応付けられた計測電流情報を受信し（ステップＳ１１０２）、制御部３３が、受信した情報がインセンティブ提供の条件を満たすと判定した場合（ステップＳ１１０３、ＹＥＳ）、インセンティブ提供のための処理を実行する。
【００６８】
例えば、期間を限定してある新製品の情報提供（ある機器識別子の電気機器９Ａの計測電流情報の提供）を呼びかけ、その期間内に、情報提供したユーザに対してインセンティブ提供の条件を満たすと判定し、そのユーザにポイントを加算する。つまり、その期間内に、ある機器識別子の電気機器９Ａの計測電流情報を受信した場合に、この受信した情報に対応付けられたユーザ登録情報に含まれているポイントに対して特典ポイントを加算する。なお、インセンティブはポイント以外に、ＨＥＭＳの登録料を割り引くなどでもよい。
【００６９】
また、新製品について先着１０名まで新製品の情報提供を呼びかけ、先着１０名以内に、情報提供したユーザに対してインセンティブ提供の条件を満たすと判定し、そのユーザにポイントを加算するようにしてもよい。
【００７０】
これにより、新製品等の情報提供を促進することができる。例えば、新製品等の情報が乏しい場合に有効である。
【００７１】
なお、上記説明では、電力計測装置１３が計測電流情報をホームゲートウェイ７へ送信するケースについて説明したが、電気機器９Ａが消費電力情報（計測電流情報に相当する情報を含む）をホームゲートウェイ７へ送信してもよい。
【００７２】
上記説明したように、第１の実施形態によれば、サーバ３が、分岐回路に接続された電気機器９Ａからの機器情報と、この分岐回路に流れる電流のモニタリング情報とを受信し、受信した情報に基づき、登録電力情報を更新し、各電気機器９Ａの電力計測の精度を向上することができる。さらに、運転状況（動作モード）別に電流をモニタリングし、運転状況別の登録電力情報を更新し、より詳細な情報管理及び機器管理が可能となる。さらに、稼働時間とともにモニタリング情報を収集することにより、稼働時間帯別の登録電力情報を更新し、より詳細な情報管理及び機器管理が可能となる。
【００７３】
また、上記説明したように、第２の実施形態によれば、サーバ３は、複数施設からのモニタリング情報に基づき、電気機器９Ａの登録電力情報を更新することができる。また、第３の実施形態によれば、サーバ３は、故障診断等を実行することができる。また、第４の実施形態によれば、サーバ３は、新製品等の情報を迅速に収集することができる。さらに、第１、第２、第４の実施形態によれば、登録電力情報が用意されていなくても、サーバ３は、ホームゲートウェイ装置７からの情報を収集することにより、登録電力情報を生成することができるので、登録電力情報の準備等の労力を軽減することもできる。しかも、サーバ３が生成する登録電力情報は、実際に稼働している電気機器９Ａからの情報に基づくため、実体に即した信頼性の高い情報となる。
【００７４】
なお、上記で説明した処理、制御等の手順は全てソフトウェアによって実行することが可能である。このため、上記制御の手順を実行するプログラムを格納したコンピュータ読み取り可能な記憶媒体を通じてこのプログラムをサーバ３等にインストールして実行するだけで、上記手順を容易に実現することができる。
【００７５】
例えば、サーバ３等が、コンピュータ読み取り可能な記憶媒体から上記プログラムを読み取り、読み取ったプログラムを記憶し、プログラムのインストールを完了することができる。或いは、サーバ３が、上記プログラムを別のサーバ等からダウンロードし、ダウンロードしたプログラムを記憶し、プログラムのインストールを完了することができる。これにより、サーバ３は、インストールされた上記プログラムに基づき、上記手順を容易に実現することができる。
【００７６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７７】
１…電力管理システム、２…ホームネットワークシステム、３…サーバ、４…ユーザ端末、５…ネットワーク、６…分電盤、７…ホームゲートウェイ装置、８…商用電源、９Ａ…電気機器、１１…主幹ブレーカ、１２…分岐ブレーカ、１３…電力計測装置、１４…計器用変流器、２１…通信部、２２…記憶部、２３…制御部、２４…無線通信部、２５…有線通信部、３１…通信部、３２…記憶部、３３…制御部。
【図１】
2017011963.tif 000003
【図２】
2017011963.tif 000004
【図３】
2017011963.tif 000005
【図４】
2017011963.tif 000006
【図５】
2017011963.tif 000007
【図６】
2017011963.tif 000008
【図７】
2017011963.tif 000009
【図８】
2017011963.tif 000010
【図９】
2017011963.tif 000011
【図１０】
2017011963.tif 000012
【図１１】
2017011963.tif 000013